(57)【要約】【課題】複数の地紋画像が存在する場合に、印刷結果に反映されなかった地紋画像に関する情報を保存することが可能な画像形成装置、情報処理装置、画像形成システム、画像形成プログラム、画像形成装置制御プログラムを提供する。【解決手段】適用地紋情報として地紋情報Ａが決定し、破棄地紋情報として地紋情報Ｂおよび地紋情報Ｃが決定していることから、画像形成装置では地紋情報Ａから作成した地紋画像Ａが付加された印刷画像が画像形成され、地紋情報Ａが適用地紋情報として印刷履歴記憶装置に記憶され、地紋情報Ｂおよび地紋情報Ｃが破棄地紋情報として印刷履歴記憶装置に記憶される。【選択図】図１
2009218901.tif 000002
【特許請求の範囲】
【請求項１】
通信手段を介して受信した印刷データから印刷画像を作成する印刷画像作成手段と、
地紋画像を付加するための地紋情報が前記印刷データに付加されているか否か検出する地紋情報検出手段と、
前記地紋情報検出手段が地紋情報を検出した場合、前記地紋画像の作成に使用する適用地紋情報を選択する適用地紋情報選択手段と、
前記地紋情報選択手段で選択した適用地紋情報に基づいて地紋画像を作成する地紋画像作成手段と、
前記適用地紋画像作成手段で作成した地紋画像を前記印刷画像に付加して画像形成する画像形成手段と、
前記適用地紋情報および前記地紋画像の作成に使用しない破棄地紋情報を前記通信手段を介して接続する記憶装置に送信する地紋情報送信手段と
を具備することを特徴とする画像形成装置。
【請求項２】
印刷要求されたデータから印刷データを作成する印刷データ作成手段と、
地紋画像を付加するための地紋情報が前記データに付加されているか否か検出する地紋情報検出手段と、
前記地紋情報検出手段が地紋情報を検出した場合、前記地紋画像の作成に使用する適用地紋情報を選択する適用地紋情報選択手段と、
前記適用地紋情報選択手段で選択した適用地紋情報を前記印刷データに付加する適用地紋情報付加手段と、
前記適用地紋情報付加手段で適用地紋情報を付加した印刷データを通信手段を介して接続する画像形成装置に送信する印刷データ送信手段と、
前記地紋画像の作成に使用しない破棄地紋情報を前記通信手段を介して接続する記憶装置に送信する地紋情報送信手段と
を具備することを特徴とする情報処理装置。
【請求項３】
情報処理装置と画像形成装置と記憶装置と
を具備し、
前記情報処理装置は、
印刷要求されたデータから印刷データを作成する印刷データ作成手段と、
地紋画像を付加するための地紋情報が前記データに付加されているか否か検出する地紋情報検出手段と、
前記地紋情報検出手段が地紋情報を検出した場合、前記地紋画像の作成に使用する地紋情報を選択する地紋情報選択手段と、
前記地紋情報選択手段で選択した地紋情報を前記印刷データに付加する地紋情報付加手段と、
前記地紋情報付加手段で地紋情報を付加した印刷データを通信手段を介して前記画像形成装置に送信する印刷データ送信手段と、
前記地紋画像の作成に使用しない地紋情報を前記通信手段を介して前記記憶装置に送信する地紋情報送信手段と
を具備し、
前記画像形成装置は、
前記通信手段を介して前記情報処理装置から受信した印刷データから印刷画像を作成する印刷画像作成手段と、
前記地紋情報が前記印刷データに付加されているか否か検出する地紋情報検出手段と、
前記地紋情報検出手段が地紋情報を検出した場合、前記地紋画像の作成に使用する地紋情報を選択する地紋情報選択手段と、
前記地紋情報選択手段で選択した地紋情報に基づいて地紋画像を作成する地紋画像作成手段と、
前記地紋画像作成手段で作成した地紋画像を前記印刷画像に付加して画像形成する画像形成手段と、
前記地紋画像の作成に使用した地紋情報、および前記地紋画像の作成に使用しなかった地紋情報を前記通信手段を介して記憶装置に送信する地紋情報送信手段と
を具備し、
前記記憶装置は、
前記通信手段を介して前記情報処理装置から受信した地紋情報と、該通信手段を介して前記画像形成装置から受信した前記地紋画像の作成に使用した地紋情報および前記地紋画像の作成に使用しない地紋情報とを関連付けて記憶する記憶手段
を具備することを特徴とする画像形成システム。
【請求項４】
通信手段を介して受信した印刷データから印刷画像を作成する処理と、
地紋画像を付加するための地紋情報が前記印刷データに付加されているか否か検出する処理と、
前記印刷データに付加されている地紋情報を検出した場合、前記地紋画像の作成に使用する適用地紋情報を選択する処理と、
前記選択した適用地紋情報に基づいて地紋画像を作成する処理と、
前記作成した地紋画像を前記印刷画像に付加して画像形成する処理と、
前記適用地紋情報および前記地紋画像の作成に使用しない破棄地紋情報を前記通信手段を介して接続する記憶装置に送信する処理と
を画像形成装置に実行させることを特徴とする画像形成プログラム。
【請求項５】
印刷要求されたデータから印刷データを作成する処理と、
地紋画像を付加するための地紋情報が前記データに付加されているか否か検出する処理と、
前記データに付加されている地紋情報を検出した場合、前記地紋画像の作成に使用する適用地紋情報を選択する処理と、
前記選択した適用地紋情報を前記印刷データに付加する処理と、
前記適用地紋情報を付加した印刷データを通信手段を介して接続する画像形成装置に送信する処理と、
前記地紋画像の作成に使用しない破棄地紋情報を前記通信手段を介して接続する記憶装置に送信する処理と
をコンピュータに実行させることを特徴とする画像形成装置制御プログラム。
【発明の詳細な説明】
【技術分野】
【０００１】
本発明は、画像形成装置、情報処理装置、画像形成システム、画像形成プログラム、画像形成装置制御プログラムに関する。
【背景技術】
【０００２】
近年、文書のセキュリティに関する意識の高まりから、プリンタ等の画像形成装置で形成する印刷結果に複写牽制模様（以後、地紋画像と称する）を付加する技術が開発されている（例えば、特許文献１参照。）。
【０００３】
そして、この技術は画像形成装置だけに搭載されるわけではなく、画像形成装置の制御プログラムとしてＰＣ等の情報処理装置に組み込まれる画像形成装置制御プログラム（例えば、プリンタドライバ等）にも搭載され、地紋画像の多重印刷を回避可能な画像処理システムがある（例えば、特許文献２。）。
【０００４】
更に、この技術は文書を作成するためのアプリケーションソフトウェア等にも搭載されている（例えば、特許文献３参照。）。
【特許文献１】特開２００１−１９７２９７号公報
【特許文献２】特開２００５−２５２７５０号公報
【特許文献３】特開２００４−１１２６０６号公報
【発明の開示】
【発明が解決しようとする課題】
【０００５】
本発明は、複数の地紋画像が存在する場合に、印刷結果に反映されなかった地紋画像に関する情報を保存することが可能な画像形成装置、情報処理装置、画像形成システム、画像形成プログラム、画像形成装置制御プログラムを提供することを目的とする。
【課題を解決するための手段】
【０００６】
上記目的を達成するため、請求項１の発明は、通信手段を介して受信した印刷データから印刷画像を作成する印刷画像作成手段と、地紋画像を付加するための地紋情報が前記印刷データに付加されているか否か検出する地紋情報検出手段と、前記地紋情報検出手段が地紋情報を検出した場合、前記地紋画像の作成に使用する適用地紋情報を選択する適用地紋情報選択手段と、前記地紋情報選択手段で選択した適用地紋情報に基づいて地紋画像を作成する地紋画像作成手段と、前記適用地紋画像作成手段で作成した地紋画像を前記印刷画像に付加して画像形成する画像形成手段と、前記適用地紋情報および前記地紋画像の作成に使用しない破棄地紋情報を前記通信手段を介して接続する記憶装置に送信する地紋情報送信手段とを具備することを特徴とする。
【０００７】
また、請求項２の発明は、印刷要求されたデータから印刷データを作成する印刷データ作成手段と、地紋画像を付加するための地紋情報が前記データに付加されているか否か検出する地紋情報検出手段と、前記地紋情報検出手段が地紋情報を検出した場合、前記地紋画像の作成に使用する適用地紋情報を選択する適用地紋情報選択手段と、前記適用地紋情報選択手段で選択した適用地紋情報を前記印刷データに付加する適用地紋情報付加手段と、前記適用地紋情報付加手段で適用地紋情報を付加した印刷データを通信手段を介して接続する画像形成装置に送信する印刷データ送信手段と、前記地紋画像の作成に使用しない破棄地紋情報を前記通信手段を介して接続する記憶装置に送信する地紋情報送信手段とを具備することを特徴とする。
【０００８】
また、請求項３の発明は、情報処理装置と画像形成装置と記憶装置とを具備し、前記情報処理装置は、印刷要求されたデータから印刷データを作成する印刷データ作成手段と、地紋画像を付加するための地紋情報が前記データに付加されているか否か検出する地紋情報検出手段と、前記地紋情報検出手段が地紋情報を検出した場合、前記地紋画像の作成に使用する地紋情報を選択する地紋情報選択手段と、前記地紋情報選択手段で選択した地紋情報を前記印刷データに付加する地紋情報付加手段と、前記地紋情報付加手段で地紋情報を付加した印刷データを通信手段を介して前記画像形成装置に送信する印刷データ送信手段と、前記地紋画像の作成に使用しない地紋情報を前記通信手段を介して前記記憶装置に送信する地紋情報送信手段とを具備し、前記画像形成装置は、前記通信手段を介して前記情報処理装置から受信した印刷データから印刷画像を作成する印刷画像作成手段と、前記地紋情報が前記印刷データに付加されているか否か検出する地紋情報検出手段と、前記地紋情報検出手段が地紋情報を検出した場合、前記地紋画像の作成に使用する地紋情報を選択する地紋情報選択手段と、前記地紋情報選択手段で選択した地紋情報に基づいて地紋画像を作成する地紋画像作成手段と、前記地紋画像作成手段で作成した地紋画像を前記印刷画像に付加して画像形成する画像形成手段と、前記地紋画像の作成に使用した地紋情報、および前記地紋画像の作成に使用しなかった地紋情報を前記通信手段を介して記憶装置に送信する地紋情報送信手段とを具備し、前記記憶装置は、前記通信手段を介して前記情報処理装置から受信した地紋情報と、該通信手段を介して前記画像形成装置から受信した前記地紋画像の作成に使用した地紋情報および前記地紋画像の作成に使用しない地紋情報とを関連付けて記憶する記憶手段を具備することを特徴とする。
【０００９】
また、請求項４の発明は、通信手段を介して受信した印刷データから印刷画像を作成する処理と、地紋画像を付加するための地紋情報が前記印刷データに付加されているか否か検出する処理と、前記印刷データに付加されている地紋情報を検出した場合、前記地紋画像の作成に使用する適用地紋情報を選択する処理と、前記選択した適用地紋情報に基づいて地紋画像を作成する処理と、前記作成した地紋画像を前記印刷画像に付加して画像形成する処理と、前記適用地紋情報および前記地紋画像の作成に使用しない破棄地紋情報を前記通信手段を介して接続する記憶装置に送信する処理とを画像形成装置に実行させることを特徴とする。
【００１０】
また、請求項５の発明は、印刷要求されたデータから印刷データを作成する処理と、地紋画像を付加するための地紋情報が前記データに付加されているか否か検出する処理と、前記データに付加されている地紋情報を検出した場合、前記地紋画像の作成に使用する適用地紋情報を選択する処理と、前記選択した適用地紋情報を前記印刷データに付加する処理と、前記適用地紋情報を付加した印刷データを通信手段を介して接続する画像形成装置に送信する処理と、前記地紋画像の作成に使用しない破棄地紋情報を前記通信手段を介して接続する記憶装置に送信する処理とをコンピュータに実行させることを特徴とする。
【発明の効果】
【００１１】
請求項１、２、３、４および５に記載の発明は、複数の地紋画像が存在する場合に、印刷結果に反映されなかった地紋画像に関する情報を保存することが可能となる。
【発明を実施するための最良の形態】
【００１２】
以下、本発明に係る画像形成装置、情報処理装置、画像形成システム、画像形成プログラム、画像形成装置制御プログラムの実施の形態について添付図面を参照して詳細に説明する。
【実施例１】
【００１３】
図１は、画像形成装置１で画像形成する印刷結果に地紋画像を付加する実施例１について説明する図である。
【００１４】
図１に示すように、ＰＣ等の情報処理装置２が画像形成装置１と接続し、画像形成装置が印刷履歴記憶装置３と接続し、情報処理装置２にはファイル、画像等のデータを作成するためのデータ作成部４と、画像形成装置１を制御し、データ作成部４の印刷指示に応じて印刷を行う画像形成装置制御部５とが組み込まれている。なお、画像形成装置１と情報処理装置２との接続形態、および画像形成装置と印刷履歴装置との接続形態は、ネットワーク経由の接続、ＵＳＢ接続、無線ＬＡＮ接続等であり、特に限定しない。
【００１５】
データ作成部４は、作成したデータの印刷指示を受け付けると、当該データを画像形成装置制御部５に渡す。データ作成部４は印刷結果に地紋画像を付加する機能を有しており、当該機能は地紋画像を付加する情報（以後、地紋情報Ａと称する）を属性としてデータに付加する。
【００１６】
画像形成装置制御部５は、データ作成部４から印刷指示されたデータから画像形成装置１で解釈が可能な印刷データ（例えば、ＰＤＬ等）を作成し、作成した印刷データを画像形成装置１に送信する。画像形成装置制御部５は印刷結果に地紋画像を付加する機能を有しており、当該機能は地紋画像を付加する情報（以後、地紋情報Ｂと称する）を属性として印刷データに付加する。なお、データに地紋情報Ａが付加されている場合は地紋情報Ａも属性として印刷データに付加する。
【００１７】
画像形成装置１は情報処理装置２から受信した印刷データからビットマップデータ等の印刷画像を作成し、作成した印刷画像を印刷媒体に画像形成する。画像形成装置１は印刷結果に地紋画像を付加する機能を有しており、当該機能は地紋画像を付加する情報（以後、地紋情報Ｃと称する）から地紋画像を作成し、作成した地紋画像を印刷画像に合成する。なお、印刷データに地紋情報Ａが付加されている場合、印刷データに地紋情報Ｂが付加されている場合、または印刷データに地紋情報Ａと地紋情報Ｂとが付加されている場合、地紋画像として、地紋情報Ａを適用するか、地紋情報Ｂを適用するか、地紋情報Ｃを適用するかを決定し（以後、適用することが決定した地紋情報を適用地紋情報と称し、適用しないことが決定した地紋情報を破棄地紋情報と称する）、印刷履歴・適用地紋情報・破棄地紋情報を印刷履歴記憶装置３に送信する。なお、適用地紋情報を決定するための手法は限定しない。また、実施例１において、地紋画像を付加する機能を有していない画像形成装置１でも適用可能である。
【００１８】
印刷履歴記憶装置３は画像形成装置１から受信した印刷履歴・適用地紋情報・破棄地紋情報を１つにまとめて記憶する。
【００１９】
例えば、図１では、適用地紋情報として地紋情報Ａが決定し、破棄地紋情報として地紋情報Ｂおよび地紋情報Ｃが決定していることから、画像形成装置１では地紋情報Ａから作成した地紋画像Ａが付加された印刷画像が画像形成され、地紋情報Ａが適用地紋情報として印刷履歴記憶装置３に記憶され、地紋情報Ｂおよび地紋情報Ｃが破棄地紋情報として印刷履歴記憶装置３に記憶される。
【００２０】
図２は、本発明に係る画像形成装置１の機能的な構成の一例を示す図である。
【００２１】
図２に示すように、画像形成装置１は、印刷データ受信部６、地紋情報検出部７１、地紋情報記憶部８１、適用地紋情報設定部９１、地紋情報処理部１０１、印刷履歴・地紋情報送信部１１、描画部１２、画像形成部１３を具備して構成される。
【００２２】
印刷データ受信部６は、情報処理装置２から送信されてくる印刷データを受信する処理を行う。
【００２３】
地紋情報検出部７は、印刷データ受信部６で受信した印刷データに属性として地紋情報（例えば、地紋情報Ａ、地紋情報Ｂ）が付加されているか否か検出する処理を行う。
【００２４】
地紋情報記憶部８１は、画像形成装置１が有する地紋画像を付加する機能で使用される地紋情報Ｃを記憶する記憶領域である。
【００２５】
適用地紋情報設定部９１は、地紋情報が付加されている印刷データを印刷する際に、地紋画像として使用する適用地紋情報の選択を設定する処理を行う。例えば、地紋情報Ａの選択が設定されている場合は地紋情報Ａから作成した地紋画像を印刷画像に付加して画像形成され、地紋情報Ｂの選択が設定されている場合は地紋情報Ｂから作成した地紋画像を印刷画像に付加して画像形成され、地紋情報Ｃの選択が設定されている場合は地紋情報Ｃから作成した地紋画像を印刷画像に付加して画像形成される。
【００２６】
地紋情報処理部１０１は、地紋情報検出部７１が印刷データに地紋情報が付加されていることを検出した場合、適用地紋情報設定部９１で選択が設定されている適用地紋情報から地紋画像を作成するように描画部１２に指示するとともに、適用地紋情報設定部９１で選択が設定されていない破棄地紋情報を破棄するように描画部１２に指示する。
【００２７】
印刷履歴・地紋情報送信部１１は、印刷データの印刷に関する印刷履歴と、適用地紋情報と、破棄地紋情報とを印刷履歴記憶装置３に対して送信する処理を行う。
【００２８】
描画部１２は、地紋情報処理部１０１から地紋画像を作成するように指示された適用地紋情報に基づいて地紋画像を作成し、印刷データから印刷画像を作成し、地紋画像と印刷画像とを画像形成部１３に渡す。
【００２９】
画像形成部１３は、描画部１２から受け取った地紋画像を印刷画像に付加して印刷媒体に画像形成する処理を行う。
【００３０】
なお、上述した画像形成装置１は、（汎用の）画像形成装置の記憶部に画像形成プログラムを記憶し、画像形成装置のＣＰＵが記憶部に記憶されている画像形成プログラムを実行することによっても実現できる。また、画像形成プログラムは、例えば、各種メモリ、光ディスク等の記憶媒体に記憶して提供することが可能であり、例えば、ネットワーク等の通信回線を介して配信することも可能である。
【００３１】
次に、印刷データに複数の地紋情報が付加されている場合の地紋情報の処理の具体例について説明する。
【００３２】
例えば、図３に示すような地紋情報が設定されている。なお、地紋情報Ａ（user,192.168.0.100,2008/02/04 13:38）はデータ作成部４が有する機能によって付加される地紋情報であり、地紋情報Ｂ（VOID,2008/02/04 13:38）は画像形成装置制御部５が有する機能によって付加される地紋情報であり、地紋情報Ｃ（Confidential）は画像形成装置１が有する機能によって付加される地紋情報である。
【００３３】
適用地紋情報設定部８で地紋情報Ａの選択が設定されている場合、図４に示すように、地紋情報Ａから作成した「user,192.168.0.100,2007/10/16 17:28」を含む地紋画像を印刷画像に付加して画像形成される。
【００３４】
さらに、図５に示すように、印刷履歴記憶装置３に、印刷履歴が記憶され、地紋情報Ａが適用地紋情報として記憶され、地紋情報Ｂおよび地紋情報Ｃが破棄地紋情報として記憶される。
【００３５】
次に、画像形成装置１で行われる処理の流れの一例について図６に示すフローチャートを参照して説明する。
【００３６】
印刷データ受信部が印刷データを受信すると（Ｓ６０１）、地紋情報検出部が印刷データに属性として地紋情報が付加されているか否か検出し（Ｓ６０２）、地紋情報が付加されている場合（Ｓ６０２でＹＥＳ）、Ｓ６０３に進み、また、地紋情報が付加されていない場合（Ｓ６０２でＮＯ）、Ｓ６０８に進む。
【００３７】
地紋情報が付加されている場合（Ｓ６０２でＹＥＳ）、描画部が印刷データから印刷画像を作成し（Ｓ６０３）、地紋情報処理部が適用地紋情報設定部で選択が設定されている適用地紋情報を確認し（Ｓ６０４）、描画部が適用地紋情報設定部で選択が設定されている適用地紋情報を基に地紋画像を作成し（Ｓ６０５）、画像形成部が印刷画像に地紋画像を付加して画像形成を行い（Ｓ６０６）、印刷履歴・地紋情報送信部が印刷履歴・適用地紋情報・破棄地紋情報を印刷履歴装置に対して送信し（Ｓ６０７）、処理手順を終了する。
【００３８】
また、地紋情報が付加されていない場合（Ｓ６０２でＮＯ）、描画部が印刷データから印刷画像を作成し（Ｓ６０８）、画像形成部が印刷画像の画像形成を行い（Ｓ６０９）、印刷履歴・地紋情報送信部が印刷履歴を印刷履歴装置に対して送信し（Ｓ６０７）、処理手順を終了する。
【実施例２】
【００３９】
図７は、画像形成装置１で画像形成する印刷結果に地紋画像を付加する実施例２について説明する図である。
【００４０】
図７に示すように、ＰＣ等の情報処理装置２が画像形成装置１と接続し、情報処理装置２が印刷履歴記憶装置３と接続し、画像形成装置１が印刷履歴記憶装置３と接続し、情報処理装置２にはファイル、画像等のデータを作成するためのデータ作成部４と、画像形成装置１を制御し、データ作成部４の印刷指示に応じて印刷を行うためのソフトウェアである画像形成装置制御部５とが組み込まれている。なお、画像形成装置１と情報処理装置２との接続形態、情報処理装置２と印刷履歴装置３との接続形態および画像形成装置１と印刷履歴装置３との接続形態は、ネットワーク経由の接続、ＵＳＢ接続、無線ＬＡＮ接続等であり、特に限定しない。
【００４１】
データ作成部４は、作成したデータの印刷指示を受け付けると、当該データを画像形成装置制御部５に渡す。データ作成部４は印刷結果に地紋画像を付加する機能を有しており、当該機能は地紋画像を付加する情報（以後、地紋情報Ａと称する）を属性としてデータに付加する。
【００４２】
画像形成装置制御部５は、データ作成部４から印刷指示されたデータから画像形成装置１で解釈が可能な印刷データ（例えば、ＰＤＬ等）を作成し、作成した印刷データを画像形成装置１に送信する。画像形成装置制御部５は印刷結果に地紋画像を付加する機能を有しており、当該機能は地紋画像を付加する情報（以後、地紋情報Ｂと称する）を属性として印刷データに付加する。なお、データに地紋情報Ａが付加されている場合、地紋画像として、地紋情報Ａを適用するか、地紋情報Ｂを適用するかを決定し（以後、適用することが決定した地紋情報を適用地紋情報と称し、適用しないことが決定した地紋情報を破棄地紋情報と称する）、適用地紋情報を属性として印刷データに付加し、破棄地紋情報を印刷履歴記憶装置３に送信する。なお、適用地紋情報を決定するための手法は限定しない。また、実施例２において、地紋画像を付加する機能を有していない画像形成装置制御部５でも適用可能である。
【００４３】
画像形成装置１は情報処理装置２から受信した印刷データからビットマップデータ等の印刷画像を作成し、作成した印刷画像を印刷媒体に画像形成する。画像形成装置１は印刷結果に地紋画像を付加する機能を有しており、当該機能は地紋画像を付加する情報（以後、地紋情報Ｃと称する）から地紋画像を作成し、作成した地紋画像を印刷画像に合成する。なお、印刷データに地紋情報Ａ（または、地紋情報Ｂ）が付加されている場合、地紋画像として、地紋情報Ａ（または、地紋情報Ｂ）を適用するか、地紋情報Ｃを適用するかを決定し（つまり、適用地紋情報および破棄地紋情報の決定）、印刷履歴・適用地紋情報・破棄地紋情報を印刷履歴記憶装置３に送信する。なお、適用地紋情報を決定するための手法は限定しない。また、実施例２において、地紋画像を付加する機能を有していない画像形成装置１でも適用可能である。
【００４４】
印刷履歴記憶装置３は情報処理装置２から受信した破棄地紋情報を記憶し、その後、画像形成装置１から印刷履歴・適用地紋情報・破棄地紋情報を受信すると、情報処理装置２から受信した破棄地紋情報と画像形成装置１から印刷履歴・適用地紋情報・破棄地紋情報とを１つにまとめて記憶する。
【００４５】
例えば、図１では、画像形成装置制御部５において、適用地紋情報として地紋情報Ａが決定し、破棄地紋情報として地紋情報Ｂが決定していることから、画像形成装置制御部５では地紋情報Ａが印刷データに拭かされ、地紋情報Ｂが破棄地紋情報として印刷履歴記憶装置３に記憶され、画像形成装置１において、適用地紋情報として地紋情報Ａが決定し、破棄地紋情報として地紋情報Ｃが決定していることから、画像形成装置１では地紋情報Ａから作成した地紋画像Ａが付加された印刷画像が画像形成され、地紋情報Ａが適用地紋情報として印刷履歴記憶装置３に記憶され、地紋情報Ｃが破棄地紋情報として印刷履歴記憶装置３に記憶される。
【００４６】
図８は、情報処理装置２で起動している本発明に係る画像形成装置制御部５の機能的な構成の一例を示す図である。
【００４７】
図８に示すように、画像形成装置制御部５は、データ受付部１４、地紋情報検出部７２、地紋情報記憶部８２、適用地紋情報設定部９２、地紋情報処理部１０２、破棄地紋情報送信部１５、印刷データ作成部１６、印刷データ送信部１７を具備して構成される。
【００４８】
データ受付部１４は、データ作成部４から印刷対象となるファイル、画像等のデータを受け付ける処理を行う。
【００４９】
地紋情報検出部７２は、データ受付部１４で受け付けたデータに属性として地紋情報（例えば、地紋情報Ａ）が付加されているか否か検出する処理を行う。
【００５０】
地紋情報記憶部８２は、画像形成装置制御部５が有する地紋画像を付加する機能で使用される地紋情報Ｂを記憶する記憶領域である。
【００５１】
適用地紋情報設定部９２は、地紋情報が付加されているデータを印刷する際に、地紋画像として使用する適用地紋情報の選択を設定する処理を行う。例えば、地紋情報Ａが選択されている場合は地紋情報Ａから作成した地紋画像を付加した印刷データが作成され、地紋情報Ｂが選択されている場合は地紋情報Ｂから作成した地紋画像を付加した印刷データが作成される。
【００５２】
地紋情報処理部１０２は、地紋情報検出部７２がデータに地紋情報が付加されていることを検出した場合、適用地紋情報設定部９２で選択が設定されている適用地紋情報から作成した地紋画像を印刷データに付加するように印刷データ作成部１７に指示するとともに、適用地紋情報設定部９２で選択が設定されていない破棄地紋情報を破棄するように印刷データ作成部１６に指示する。
【００５３】
破棄地紋情報送信部１５は、破棄地紋情報を印刷履歴記憶装置３に対して送信する処理を行う。
【００５４】
印刷データ作成部１６は、データから印刷データを作成し、作成した印刷データに地紋情報処理部１０２から指示された適用地紋情報を付加する。
【００５５】
印刷データ送信部１７は、印刷データ作成部１６で作成した印刷データを、Ｉ／Ｆ１８を介して画像形成装置１に対して送信する処理を行う。
【００５６】
なお、画像形成装置制御部５は、情報処理装置２の記憶部に画像形成装置制御プログラム（例えば、プリンタドライバ）を記憶し、情報処理装置２のＣＰＵが記憶部に記憶されている画像形成装置制御プログラムを実行することによっても実現可能である。また、画像形成装置制御プログラムは、各種メモリ、光ディスク等の記憶媒体に記憶して提供することが可能であり、例えば、ネットワーク等の通信回線を介して配信することも可能である。
【００５７】
また、データ作成部４は、情報処理装置２の記憶部にデータ作成プログラム（例えば、ワードプロセッサや画像処理を行うアプリケーションソフトウェア等の印刷指示を発することのできるアプリケーションソフトウェア）を記憶し、情報処理装置２のＣＰＵが記憶部に記憶されているデータ作成プログラムを実行することによっても実現可能である。
【００５８】
図９は、本発明に係る画像形成装置１の機能的な構成の一例を示す図である。
【００５９】
図９に示すように、画像形成装置１は、印刷データ受信部６、地紋情報検出部７１、地紋情報記憶部８１、適用地紋情報設定部９１、地紋情報処理部１０１、印刷履歴・地紋情報送信部１１、描画部１２、画像形成部１３を具備して構成される。
【００６０】
印刷データ受信部６は、情報処理装置２から送信されてくる印刷データを受信する処理を行う。
【００６１】
地紋情報検出部７１は、印刷データ受信部６で受信した印刷データに属性として地紋情報が付加されているか否か検出する処理を行う。
【００６２】
地紋情報記憶部８１は、画像形成装置１が有する地紋画像を付加する機能で使用される地紋情報Ｃを記憶する記憶領域である。
【００６３】
適用地紋情報設定部９１は、地紋情報が付加されている印刷データを印刷する際に、地紋画像の作成に使用する適用地紋情報の選択を設定する処理を行う。例えば、印刷データに付加されている地紋情報（地紋情報Ａまたは地紋情報Ｂ）の選択が設定されている場合は印刷データに付加された地紋情報から作成した地紋画像を印刷画像に付加して画像形成され、地紋情報Ｃの選択が設定されている場合は地紋情報Ｃから作成した地紋画像を印刷画像に付加して画像形成される。
【００６４】
地紋情報処理部１０１は、地紋情報検出部７１が印刷データに地紋情報が付加されていることを検出した場合、適用地紋情報設定部９１で選択が設定されている適用地紋情報から地紋画像を作成するように描画部１２に指示するとともに、適用地紋情報設定部９１で選択が設定されていない破棄地紋情報を破棄するように描画部１２に指示する。
【００６５】
印刷履歴・地紋情報送信部１１は、破棄地紋情報、または印刷データの印刷に関する印刷履歴と適用地紋情報とを印刷履歴記憶装置３に対して送信する処理を行う。
【００６６】
描画部１２は、地紋情報処理部９から地紋画像を作成するように指示された適用地紋情報に基づいて地紋画像を作成し、印刷データから印刷画像を作成し、地紋画像と印刷画像とを画像形成部１３に渡す。
【００６７】
画像形成部１３は、描画部１２から受け取った地紋画像を印刷画像に付加して印刷媒体に画像形成する処理を行う。
【００６８】
なお、上述した画像形成装置１は、（汎用の）画像形成装置の記憶部に画像形成プログラムを記憶し、画像形成装置のＣＰＵが記憶部に記憶されている画像形成プログラムを実行することによっても実現できる。また、画像形成プログラムは、例えば、各種メモリ、光ディスク等の記憶媒体に記憶して提供することが可能であり、例えば、ネットワーク等の通信回線を介して配信することも可能である。
【００６９】
次に、情報処理装置（データ作成部、画像形成装置制御部）２、画像形成装置１および印刷履歴記憶装置３で行われる処理の流れの一例について図１０に示すシーケンス図を参照して説明する。
【００７０】
データ作成部は地紋情報を付加したデータを作成し（Ｓ１００１）、地紋情報を付加したデータを画像形成装置制御部に渡す（Ｓ１００２）。
【００７１】
画像形成装置制御部はデータ作成部から地紋情報を付加したデータを受け取ると、データに付加された地紋情報を適用地紋情報とするか、画像形成装置制御部が有する地紋情報を適用地紋情報とするか確認し（Ｓ１００３）、破棄地紋情報を印刷履歴記憶装置に対して送信する（Ｓ１００４）。
【００７２】
印刷履歴記憶装置は情報処理装置から破棄地紋情報を受信すると、受信した破棄地紋情報を記憶する（Ｓ１００５）。
【００７３】
情報処理装置の画像形成装置制御部は適用地紋情報を付加した印刷データを作成し（Ｓ１００６）、適用地紋情報を付加した印刷データを画像形成装置に対して送信する（Ｓ１００７）。
【００７４】
画像形成装置は情報処理装置から適用地紋情報を付加した印刷データを受信すると、印刷データに付加された適用地紋情報から地紋画像を作成するか、画像形成装置が有する地紋情報から地紋画像を作成するか確認し（Ｓ１００８）、破棄地紋情報を印刷履歴記憶装置に対して送信する（Ｓ１００９）。
【００７５】
印刷履歴記憶装置は画像形成装置から破棄地紋情報を受信すると、受信した破棄地紋情報を記憶する（Ｓ１０１０）。
【００７６】
画像形成装置は地紋画像を付加した印刷画像の画像形成を行い（Ｓ１０１１）、印刷履歴・印刷画像に使用された適用地紋情報を印刷履歴記憶装置に対して送信する（Ｓ１０１２）。
【００７７】
印刷履歴記憶装置は画像形成装置から印刷履歴・適用地紋情報を受信すると、受信した印刷履歴・適用地紋情報と、Ｓ１００５で記憶した破棄地紋情報と、Ｓ１０１０で記憶した破棄地紋情報とを１つにまとめて記憶する（Ｓ１０１３）。
【図面の簡単な説明】
【００７８】
【図１】画像形成装置で画像形成する印刷結果に地紋画像を付加する実施例１について説明する図である。
【図２】本発明に係る画像形成装置の機能的な構成の一例を示す図である。
【図３】地紋情報の一例について説明する図である。
【図４】地紋画像が付加された印刷画像の一例を示す図である。
【図５】印刷履歴記憶装置に記憶される印刷履歴・適用地紋情報・破棄地紋情報の一例を示す図である。
【図６】画像形成装置で行われる処理の流れの一例を示すフローチャートである。
【図７】画像形成装置で画像形成する印刷結果に地紋画像を付加する実施例２について説明する図である。
【図８】情報処理装置で起動している本発明に係る画像形成装置制御部の機能的な構成の一例を示す図である。
【図９】本発明に係る画像形成装置の機能的な構成の一例を示す図である。
【図１０】情報処理装置（データ作成部、画像形成装置制御部）、画像形成装置および印刷履歴記憶装置で行われる処理の流れの一例を示すシーケンス図である。
【符号の説明】
【００７９】
１    画像形成装置
２    情報処理装置
３    印刷履歴記憶装置
４    データ作成部
５    画像形成装置制御部
６    印刷データ受信部
７１、７２    地紋情報検出部
８１、８２    地紋情報記憶部
９１、９２    地紋情報選択設定部
１０１、１０２    地紋情報処理部
１１    印刷履歴・地紋情報送信部
１２    描画部
１３    画像形成部
１４    データ受付部
１５    破棄地紋情報送信部
１６    印刷データ作成部
１７    印刷データ送信部
１８    Ｉ／Ｆ
【図１】
2009218901.tif 000003
【図２】
2009218901.tif 000004
【図３】
2009218901.tif 000005
【図４】
2009218901.tif 000006
【図５】
2009218901.tif 000007
【図６】
2009218901.tif 000008
【図７】
2009218901.tif 000009
【図８】
2009218901.tif 000010
【図９】
2009218901.tif 000011
【図１０】
2009218901.tif 000012